(57)【要約】【課題】渦巻型蛍光ランプを適用した場合にも、配光、視認性、デザイン面を考慮した常夜灯等の設置を行うことができることができる照明器具を提供する。【解決手段】照明器具１０は、天井面に取り付けられる器具本体と、器具本体に保持される蛍光ランプ１３と、を備え、蛍光ランプ１３は、ランプ中心部でＳ字に連なる二重螺旋状渦巻型蛍光ランプであり、ランプ中心部の近傍に常夜灯１８を設けた。【選択図】図１
2010186710.tif 000002
【特許請求の範囲】
【請求項１】
天井面に取り付けられる器具本体と、
前記器具本体に保持される蛍光ランプと、
を備える照明器具であって、
前記蛍光ランプは、ランプ中心部でＳ字に連なる二重螺旋状渦巻型蛍光ランプであり、前記ランプ中心部の近傍に常夜灯を設けることを特徴とする照明器具。
【請求項２】
前記ランプ中心部の近傍にリモコン受光部をさらに設けることを特徴とする請求項１に記載した照明器具。
【請求項３】
前記常夜灯は、可視光発光ダイオードであることを特徴とする請求項１または２に記載した照明器具。
【発明の詳細な説明】
【技術分野】
【０００１】
本発明は、例えば天井面に取り付けられる照明器具に関し、特に渦巻型蛍光ランプを用いて常夜灯を装備した照明器具に関する。
【背景技術】
【０００２】
本発明者らは、基板のうちリモコン用の受光素子の周囲に常夜灯用のＬＥＤを実装した照明器具を既に提案している（例えば、特許文献１参照）。
【０００３】
また、本発明者らは、従来用いていた白熱灯に代えて常夜灯用の可視発光ダイオードを複数個所に集約して配置した照明器具を既に提案している（例えば、特許文献２参照）。
【先行技術文献】
【特許文献】
【０００４】
【特許文献１】特開２００８−９８１１６号公報（図１、請求項１）
【特許文献２】特開２００３−２７２４１１号公報（図１、請求項１）
【発明の概要】
【発明が解決しようとする課題】
【０００５】
通常、照明器具において常夜灯は、配光、視認性、デザイン面を考慮して器具本体の中央付近に配置されるのが望ましい。
【０００６】
上記特許文献１および２に開示された照明器具のように、蛍光ランプとして環状ランプを用いた場合、中心部分に常夜灯用のＬＥＤや、リモコン用受光素子スイッチ部を配置するに際し、蛍光ランプの構造上、中央部分は空いている。そのため、何らの制約もなく設置を行うことができる。
【０００７】
しかし、近年、蛍光ランプとして渦巻型蛍光ランプを適用する傾向があり、渦巻型蛍光ランプを適用した場合での常夜灯の配置について配慮する必要性がでてきた。
【０００８】
本発明は、前述した課題を解決するためになされたものであり、その目的は、渦巻型蛍光ランプを適用した場合にも、配光、視認性、デザイン面を考慮した常夜灯等の設置を行うことができることができる照明器具を提供することにある。
【課題を解決するための手段】
【０００９】
本発明に係る照明器具は、天井面に取り付けられる器具本体と、前記器具本体に保持される蛍光ランプと、を備える照明器具であって、前記蛍光ランプは、ランプ中心部でＳ字に連なる渦巻型蛍光ランプであり、前記ランプ中心部の近傍に常夜灯を設けることを特徴とする。
【００１０】
本発明においては、照明器具はランプ中心部でＳ字に連なる渦巻型蛍光ランプを適用しており、渦巻型蛍光ランプのランプ中心部の近傍に常夜灯を設けた。
これにより、常夜灯は渦巻型蛍光ランプの空いたスペースに渦巻型蛍光ランプに干渉することなく設置される。
従って、渦巻型蛍光ランプを適用した場合にも、配光、視認性、デザイン面を考慮した常夜灯等の設置を行うことができる。
【００１１】
本発明に係る照明器具は、上記照明器具において、前記ランプ中心部の近傍にリモコン受光部または動作切換スイッチをさらに設けることを特徴とする。
【００１２】
本発明においては、渦巻型蛍光ランプの空いたスペースの常夜灯の近傍にリモコン受光部または動作切換スイッチが渦巻型蛍光ランプに干渉することなく設置される。
従って、常夜灯とともにリモコン受光部または動作切換スイッチを渦巻型蛍光ランプに違和感なく融合させることができる。
【００１３】
本発明に係る照明器具は、上記照明器具において、前記常夜灯は、可視光発光ダイオードであることを特徴とする。
【００１４】
本発明においては、常夜灯として可視光発光ダイオードが適用される。
従って、人間の眼にやさしい可視光による照射を行うことができる。
【発明の効果】
【００１５】
本発明の照明器具によれば、天井面に取り付けられる器具本体と、器具本体に保持される蛍光ランプと、を備え、蛍光ランプは、ランプ中心部でＳ字に連なる渦巻型蛍光ランプであり、ランプ中心部の近傍に常夜灯を設けた。
これにより、渦巻型蛍光ランプを適用した場合にも、配光、視認性、デザイン面を考慮した常夜灯等の設置を行うことができるという効果を有する。
【図面の簡単な説明】
【００１６】
【図１】本発明に係る第１実施形態の照明器具の垂直断面図
【図２】図１の照明器具の渦巻型蛍光ランプ周りの底面図
【図３】図２の要部拡大図
【図４】本発明に係る第２実施形態の照明器具の渦巻型蛍光ランプ周りの底面図
【図５】図４の照明器具に適用したリモコン受光部の外観斜視図
【発明を実施するための形態】
【００１７】
以下、本発明の複数の実施形態に係る照明器具について図面を参照して説明する。
【００１８】
（第１実施形態）
本発明の第１実施形態である照明器具１０は、高周波専用の電子安定器である点灯回路１２を内蔵した器具本体１１と、蛍光ランプである二重螺旋状渦巻型蛍光ランプ１３と、二重螺旋状渦巻型蛍光ランプ１３を器具本体１１に保持するためのランプ保持部品１４と、二重螺旋状渦巻型蛍光ランプ１３に電気を供給するためのランプソケット１５と、器具本体１１の外周を３６０度囲う形状の外周支持枠１６と、外周支持枠１６に組み付けられて二重螺旋状渦巻型蛍光ランプ１３を覆い隠すためのグローブ１７と、常夜灯用の複数のＬＥＤ１８と、を備える。
【００１９】
図１に示すように、照明器具１０は、器具本体１１の中央部に組み付けられている引掛シーリングと言われる省施工用部品２を介して天井面１に取り付けられる。この時、照明器具１０は３６０度の任意の向きで取り付けられる。
【００２０】
図２に示すように、二重螺旋状渦巻型蛍光ランプ１３は、発光管１９と、発光管１９の両端部に取り付けられた口金２０，２０とを備える管入力２５Ｗの渦巻形蛍光ランプである。二重螺旋状渦巻型蛍光ランプ１３は口金２０，２０を通じて点灯回路１２から電力を与えられて点灯する。二重螺旋状渦巻型蛍光ランプ１３は通常の環状ランプと比べて外径の小型化を図れる特性を有する。
【００２１】
発光管１９は、外観視略円盤形状であって、最大外囲径は例えば１５０ｍｍである。発光管１９は、外観視略円盤形状の発光管本体２１と、発光管本体２１の両端部に封着された不図示の電極とを備える。発光管１９の外径は９ｍｍ、内径は７．４ｍｍ、管全長は９００ｍｍ、電極２００間距離は８００ｍｍ、管壁負荷は約０．１８Ｗ／ｃｍ２である。
【００２２】
なお、発光管１９は上述した構成に限定されるものではないが、よりコンパクトにするためには、発光管１９の管内径が３〜２０ｍｍの範囲であることが好ましく、その場合には管入力が６〜８０Ｗの範囲であることが好ましい。例えば、管入力８〜４０Ｗの二重螺旋状渦巻型蛍光ランプ１３の場合、発光管１９の管外径が８〜１４ｍｍ、管内径が６〜１２ｍｍ、管壁負荷が０．１４〜０．２２Ｗ／ｃｍ２であることが好ましい。また、管入力４０〜１００Ｗの光ワットタイプの二重螺旋状渦巻型蛍光ランプ１３の場合、管内径が１２〜１６ｍｍであることが好ましい。
【００２３】
発光管本体２１は、例えばバリウム・ストロンチウムシリケートガラス（軟化点６７５℃の軟質ガラス）で形成された断面略円形のガラス管を二重渦巻状に成形したものであって、発光管本体２２の管軸が中心Ｃの周りを二重渦巻状に旋回している。また、発光管本体２２の管軸は中心Ｃと直交する同一平面内に含まれている。
【００２４】
発光管本体２１は、Ｓ字状をした中央部２２と、中央部２２を挟んで対向する両端部２３，２４と、中央部２２と両端部２３，２４との間の部分で形成される巻回部２５とからなる。
【００２５】
二重螺旋状渦巻型蛍光ランプ１３は不図示の成形治具により平面螺旋状に成形される。このとき、二重螺旋状渦巻型蛍光ランプ１３は点対称で曲率半径が等しくなるように折り曲げ成形されていく。そして、中央部２２は成形治具に有する中央載置部の縦壁にガラス管が巻き付けられることによりＳ字状で一対の空隙部２６，２６を有して変形される。
【００２６】
図３に示すように、二重螺旋状渦巻型蛍光ランプ１３は中央部２２の空隙部２６，２６のそれぞれに４個ずつの８個の常夜灯ＬＥＤ１８を配置している。
【００２７】
常夜灯ＬＥＤ１８は可視光発光ダイオードであって、器具本体１１側に設けられている不図示の回路基板上に下方を照射方向として実装されている。
【００２８】
常夜灯ＬＥＤ１８は二重螺旋状渦巻型蛍光ランプ１３の空いた空隙部２６，２６にそれぞれ組み付けられる。
これにより、常夜灯ＬＥＤ１８は二重螺旋状渦巻型蛍光ランプ１３に干渉せずに違和感なく融合する。
従って、二重螺旋状渦巻型蛍光ランプ１３に装備された常夜灯ＬＥＤ１８は、配光、視認性、デザイン面に優れる。
【００２９】
常夜灯ＬＥＤ１８には可視光発光ダイオードが適用されることにより、人間の眼にやさしい照射を行うことができる。
【００３０】
第１実施形態の照明器具１０では、照明器具１０は中央部２２でＳ字に連なる二重螺旋状渦巻型蛍光ランプ１３を適用しており、二重螺旋状渦巻型蛍光ランプ１３の中央部２２の近傍に複数の８個の常夜灯ＬＥＤ１８を設けた。
これにより、常夜灯ＬＥＤ１８は二重螺旋状渦巻型蛍光ランプ１３の空いた空隙部２６，２６に二重螺旋状渦巻型蛍光ランプ１３に干渉せずに違和感なく融合する。
従って、二重螺旋状渦巻型蛍光ランプ１３を適用しても、配光、視認性、デザイン面を考慮した常夜灯ＬＥＤ１８の設置を行うことができる。
【００３１】
第１実施形態の照明器具１０では、常夜灯ＬＥＤ１８として可視光発光ダイオードが適用される。
従って、人間の眼にやさしい可視光による照射を行うことができる。
【００３２】
（第２実施形態）
次に、本発明の第２実施形態の照明器具について説明する。なお、以下の第２実施形態において、上述した第１実施形態と重複する構成要素や機能的に同様な構成要素については、図中に同一符号あるいは相当符号を付することによって説明を簡略化あるいは省略する。
【００３３】
図４に示すように、本発明の第２実施形態の照明器具３０は、二重螺旋状渦巻型蛍光ランプ１３の中央部２２の空隙部２６，２６の一方に４個の常夜灯ＬＥＤ１８を組み付けている。照明器具３０は、空隙部２６，２６の他方に３個の常夜灯ＬＥＤ１８と１個の常夜灯ＬＥＤ１８の代わりのリモコン受光部３１とを組み付けている。
【００３４】
リモコン受光部３１は不図示のリモコン発信器からの電気信号を受信し、点灯回路１２により電気信号にあわせたランプの出力が制御される。なお、リモコン受光部３１に代えて動作切換スイッチを装備してもよく、その場合、動作切換スイッチの切換モード信号に基づいて点灯回路１２が制御動作を行う。
【００３５】
図５に示すように、リモコン受光部３１は保護ケース３２を有し、保護ケース３２にリモコン受光素子３３を組み込んでいる。
リモコン受光部３１は、保護ケース３２にリモコン受光素子３３を組み込んでいることにより、例えばリモコン受光素子３３に内蔵されている不図示の光学フィルタなどを効果的に作用させることができる。
従って、リモコン受光素子３３におけるリモコン信号の受光性能を十分に発揮させることができる。
【００３６】
リモコン受光部３１は器具本体１１側に設けられている不図示の回路基板上に実装されている。
【００３７】
リモコン受光部３１は常夜灯ＬＥＤ１８とともに二重螺旋状渦巻型蛍光ランプ１３の空いた空隙部２６に組み付けられることにより、二重螺旋状渦巻型蛍光ランプ１３に干渉することなく設置される。
【００３８】
第２実施形態の照明器具３０では、二重螺旋状渦巻型蛍光ランプ１３の空いた空隙部２６の常夜灯ＬＥＤ１８の近傍にリモコン受光部３１または動作切換スイッチを設けた。
これにより、常夜灯ＬＥＤ１８およびリモコン受光部３１または動作切換スイッチは二重螺旋状渦巻型蛍光ランプ１３に干渉せずに違和感なく融合する。
従って、二重螺旋状渦巻型蛍光ランプ１３を適用しても、配光、視認性、デザイン面を考慮した常夜灯ＬＥＤ１８およびリモコン受光部３１または動作切換スイッチの設置を行うことができる。
【００３９】
なお、前記各実施形態で使用した器具本体１１、点灯回路１２、ランプ保持部品１４、ランプソケット１５、外周支持枠１６、グローブ１７等は例示したものに限定するものではなく適宜変更が可能である。
【符号の説明】
【００４０】
１  天井面
１０、３０  照明器具
１１  器具本体
１３  二重螺旋状渦巻型蛍光ランプ（蛍光ランプ）
１８  常夜灯ＬＥＤ（常夜灯）
３１  リモコン受光部
【図１】
2010186710.tif 000003
【図２】
2010186710.tif 000004
【図３】
2010186710.tif 000005
【図４】
2010186710.tif 000006
【図５】
2010186710.tif 000007